(57)【要約】【課題】即湯の利用が容易に行える貯湯式給湯機を提供する。【解決手段】外缶１の側壁上部に備えられ貯湯室３内の貯湯温度を検知する缶体温度センサ８と、該缶体温度センサ８により燃焼バーナ４を制御して貯湯温度を給湯設定温度に保持する制御部９とを備え、燃焼バーナ４の燃焼や排ガスを煙管６を通して排気することによる熱交換で、給水管１０から供給された貯湯室３内の水を加熱して温水とし、給湯管１１から給湯するようにしたもので、前記給水管１０には即湯ユニット１２の循環回路１３の戻り管１６が接続すると共に、給湯管１１には循環回路１３の往き管１７が接続され、更に給水管１０には戻り湯の湯温を検知する戻り温度センサ１９を設けて、戻り湯の湯温に応じて貯湯の保温温度を最終的に給湯設定温度になるように複数段階に制御するようにしたので、急激な温度変動がなく使用勝手の良い即湯が行えるものである。【選択図】図１
2012163236.tif 000002
【特許請求の範囲】
【請求項１】
内方に備えた内缶との間に貯湯室を形成した外缶と、前記内缶内に形成され燃焼バーナが臨んだ燃焼室と、この燃焼室と外缶上部の排気室とを貯湯室を通って連通させる複数本の煙管と、外缶の側壁上部に備えられ貯湯室内の貯湯温度を検知する缶体温度センサと、該缶体温度センサにより燃焼バーナを制御して貯湯温度を給湯設定温度に保持する制御部とを備え、燃焼バーナの燃焼や排ガスを煙管を通して排気することによる熱交換で、給水管から供給された貯湯室内の水を加熱して温水とし、給湯管から給湯するようにしたものに於いて、前記給水管には即湯ユニットの循環回路の戻り管が接続すると共に、給湯管には循環回路の往き管が接続され、更に給水管には戻り湯の湯温を検知する戻り温度センサを設けて、戻り湯の湯温に応じて貯湯の保温温度を最終的に給湯設定温度になるように複数段階に制御するようにした事を特徴とする貯湯式給湯機。
【発明の詳細な説明】
【技術分野】
【０００１】
この発明は、煙管を備えたセミ貯湯タイプと言われる貯湯式の給湯機に関するものである。
【背景技術】
【０００２】
従来よりこの種のものでは、給湯機と即湯ユニットとを結ぶ戻りヘッダーに戻り湯の温度センサを備え、切換弁の開故障を検知して安全を確保しようとするものであった。（例えば、特許文献１参照。）
【先行技術文献】
【特許文献】
【０００３】
【特許文献１】特開２００９−５２８１３号公報
【発明の概要】
【発明が解決しようとする課題】
【０００４】
ところでこの従来のものでは、貯湯式ではなく即応方式の熱交換器式であるので、湯温は供給温度を給湯設定温度に制御することが可能であるが、貯湯式の場合は即応性がなく、戻り湯温の影響が大きく、特に給湯使用では使用された分の給水の補給が行われ、戻り湯の温度が急激に低下するので、これを直ぐに給湯設定温度に加熱するには能力的に無理があるし、すでに貯湯室に貯湯されている貯湯水の温度制御もあり、その温度が難しいと言う課題を有するものであった。
【課題を解決するための手段】
【０００５】
この発明は上記課題を解決する為に、特にその構成を、内方に備えた内缶との間に貯湯室を形成した外缶と、前記内缶内に形成され燃焼バーナが臨んだ燃焼室と、この燃焼室と外缶上部の排気室とを貯湯室を通って連通させる複数本の煙管と、外缶の側壁上部に備えられ貯湯室内の貯湯温度を検知する缶体温度センサと、該缶体温度センサにより燃焼バーナを制御して貯湯温度を給湯設定温度に保持する制御部とを備え、燃焼バーナの燃焼や排ガスを煙管を通して排気することによる熱交換で、給水管から供給された貯湯室内の水を加熱して温水とし、給湯管から給湯するようにしたものに於いて、前記給水管には即湯ユニットの循環回路の戻り管が接続すると共に、給湯管には循環回路の往き管が接続され、更に給水管には戻り湯の湯温を検知する戻り温度センサを設けて、戻り湯の湯温に応じて貯湯の保温温度を最終的に給湯設定温度になるように複数段階に制御するようにしたものである。
【発明の効果】
【０００６】
以上のようにこの発明によれば、貯湯方式の給湯機でも即湯ユニットを使用して使用勝手良い給湯が行えるものであり、又戻り湯温に応じて保温温度を段階的に制御して、最終的には給湯設定温度とすることで、急激な温度変化を防止し、湯水が複数回循環することで給湯設定温度とするので、無理することなく容易に即湯ユニットが良好に利用出来るものである。
【図面の簡単な説明】
【０００７】
【図１】この発明の一実施形態を示す貯湯式給湯機の要部構成図。
【図２】同要部のフローチャート。
【発明を実施するための形態】
【０００８】
次にこの発明の一実施形態を示す貯湯式給湯機を図面に基づいて説明する。
１は内方下部に筒状の内缶２を隙間を形成して備えた外缶で、前記内缶２との間には湯水を貯湯する貯湯室３を形成し、又内缶２の内方はガンタイプ式の燃焼バーナ４が臨む燃焼室５を構成するものである。
【０００９】
６は内缶２内の燃焼室５と外缶１上部の排気室７とを貯湯室３を貫通して結んだ複数の煙管で、内方には排ガスの流通を遅らせて湯水との熱交換効率を向上させる為のバッフル板（図示せず）がそれぞれ備えられている。
【００１０】
８は外缶１の側壁上部に備えられたサーミスタからなる缶体温度センサで、貯湯室３内の貯湯温度を検知し、この温度が適宜変更可能な給湯設定温度に保持されるように制御部９を介して燃焼バーナ４のＯＮ／ＯＦＦを含め燃焼火力を制御するものである。
【００１１】
１０は通常時は市水と接続されて貯湯室３への給水を行う給水管である。１１は貯湯室３上部と連通し通常時は貯湯温水を給湯する給湯管である。１２は循環回路１３と給湯栓１４と循環ポンプ１５とからなる即湯ユニットで、前記給水管１０には循環回路１３の戻り管１６が接続すると共に、前記給湯管１１には循環回路１３の往き管１７が接続されており、循環ポンプ１５の駆動で貯湯室３内の貯湯水が循環回路１３を循環することで、給湯栓１４を開成すれば即給湯が得られるものであり、そしてこの給湯で減った分の給水が戻り管１６に接続した供給管１８から市水が補給されるものである。
【００１２】
１９は給水管１０に備えられたサーミスタからなる戻り温度センサで、缶体温度センサ８の検知温度と戻り温度センサ１９の検知する戻り湯水温度とが放熱ロスを考えてほぼ同じ温度の場合は、即湯ユニット１２の使用と制御部９が判断し、缶体温度センサ８による貯湯検知温度がリモコン（図示せず）で設定される給湯設定温度に最終的にはなるように、戻り温度センサ１９の検知する戻り湯水温度に応じて貯湯温度が複数段階になるよう制御部９が燃焼バーナ４の燃焼を制御するものである。
【００１３】
次にこの一実施形態の作動について説明する。
今セミ貯湯式の給湯機の給水管１０に戻り管１６を接続し、又給湯管１１には往き管１７をそれぞれ接続することで、給湯機に即湯ユニット１２をセットし、そして先ずは燃焼バーナ４を燃焼させて貯湯室３内の貯湯温度が給湯設定温度になるように制御し、即湯ユニット１２を動かせば、循環ポンプ１５が駆動して貯湯水を循環回路１３に流し循環させるものである。
【００１４】
この循環によりステップＳ１で戻り温度センサ１９の検知する戻り湯水温度が、缶体温度センサ８が検知する貯湯温度とほぼ同じ温度で即湯ユニット１２使用と判断し、ＹＥＳでステップＳ２に進み戻り湯水温度が１０℃以下かを判断し、ＹＥＳではステップＳ３に進んで給湯設定温度を例えばここでは８０℃とした時は缶体温度センサ８の検知温度５０℃になるように制御し、ＮＯではステップＳ４に進み戻り湯水温度が２０℃以下かを判断し、ＹＥＳではステップＳ５に進んで缶体温度センサ８の検知温度５５℃になるように制御し、ＮＯではステップＳ６に進み戻り湯水温度が３０℃以下かを判断し、ＹＥＳではステップＳ７に進んで缶体温度センサ８の検知温度６０℃になるように制御し、ＮＯではステップＳ８に進み戻り湯水温度と缶体温度センサ８が検知する貯湯温度との差が３℃以上あるかを判断し、ＹＥＳではステップＳ９に進んで缶体温度センサ８の検知温度が給湯設定温度である８０℃になるように制御し、ＮＯではステップＳ７に進んで缶体温度センサ８の検知温度６０℃になるように制御するものである。
【００１５】
上記の制御では、給湯栓１４を開成して即給を行った場合、供給管１８から低温の給水が行われるので、実際にはなかなか８０℃の設定温度には達しないものである。
【００１６】
このように貯湯温度を段階的に給湯設定温度に近づけることで、急激な給湯温度の変化を防止することが出来、給湯栓１４を開成すると即給湯が貯湯式の給湯機で簡単に得られるものであり、常に安全で快適な即湯給湯が行えるものである。
【符号の説明】
【００１７】
１  外缶
２  内缶
３  貯湯室
４  燃焼バーナ
５  燃焼室
６  煙管
７  排気室
８  缶体温度センサ
９  制御部
１０  給水管
１１  給湯管
１２  即湯ユニット
１３  循環回路
１６  戻り管
１７  往き管
１９  戻り温度センサ
【図１】
2012163236.tif 000003
【図２】
2012163236.tif 000004